(57)【要約】【課題】衛生装置の利用を促すことができる衛生管理システムを提供する。【解決手段】衛生管理システム１０は、内側エリアに存在する人の情報を取得する人情報取得部３１と、消毒器１１の起動情報を取得する起動情報取得部３４と、人情報取得部３１が取得した人の情報と起動情報取得部３４が取得した起動情報とに基づいて内側エリアに存在する人が消毒器１１を使用していないと判断したときに注意喚起動作を行う自動ドア２０及び報知部１２とを備える。【選択図】図２
2020080999.tif 000002
【特許請求の範囲】
【請求項１】
所定範囲に存在する人の情報を取得する人情報取得部と、
衛生装置の起動情報を取得する起動情報取得部と、
前記人情報取得部が取得した前記人の情報と前記起動情報取得部が取得した前記起動情報とに基づいて前記所定範囲に存在する人が前記衛生装置を使用していないと判断したときに注意喚起動作を行う注意喚起部とを備える
衛生管理システム。
【請求項２】
前記注意喚起部は、前記衛生装置の起動回数が前記人の数未満であるときに前記所定範囲に存在する人が前記衛生装置を使用していないと判断する
請求項１に記載の衛生管理システム。
【請求項３】
前記所定範囲の人の数を検知して前記人情報取得部に出力するエリア検知部を備える
請求項２に記載の衛生管理システム。
【請求項４】
前記注意喚起部は、前記注意喚起動作として前記衛生装置が設置された部屋の出口に設けられる扉を閉状態に維持する
請求項１〜３のいずれか一項に記載の衛生管理システム。
【請求項５】
前記注意喚起部は、前記注意喚起動作として前記扉を閉状態に維持した後、前記衛生装置の起動が検知されて前記所定範囲に存在する人が前記衛生装置を使用していると判断したときに前記扉を開く
請求項４に記載の衛生管理システム。
【請求項６】
前記衛生装置を使用していないと判断したことを記録する記録部を備える
請求項１〜５のいずれか一項に記載の衛生管理システム。
【請求項７】
前記衛生装置の使用エリアの人の数を検知して前記人情報取得部に出力する使用エリア検知部と、
前記使用エリアとは異なるエリアであって前記衛生装置が設置された部屋の出口に設けられる扉の近傍の通過エリアの人の数を検知して前記人情報取得部に出力する通過エリア検知部とを備え、
前記注意喚起部は、前記衛生装置の起動回数が前記使用エリアの人の数未満及び前記通過エリアに人がいることの少なくとも一方を満たすときに前記注意喚起動作を行う
請求項１に記載の衛生管理システム。
【発明の詳細な説明】
【技術分野】
【０００１】
本発明は、衛生管理システムに関する。
【背景技術】
【０００２】
手洗い後に手を乾かすハンドドライヤが設置されたトイレが増えている。このようなトイレにおいて、トイレの利用者の衛生を管理する衛生管理システムが考えられている（例えば、特許文献１参照）。
【０００３】
特許文献１に記載の衛生管理システムでは、手洗い後にハンドドライヤが所定時間使用されないときには、インターロックを設定して自動ドアを開放不能とする。
【先行技術文献】
【特許文献】
【０００４】
【特許文献１】特開平１１−２９９７０６号公報
【発明の概要】
【発明が解決しようとする課題】
【０００５】
ところで、上記特許文献１に記載の衛生管理システムでは、利用者がハンドドライヤを所定時間使用した後、この利用者に連なって他の利用者が退出する、いわゆる共連れが行われるおそれがある。そこで、トイレ等の衛生管理が求められる施設において、共連れを抑制することで、ハンドドライヤ等の衛生装置の利用を促すことができる衛生管理システムが求められている。
【０００６】
なお、トイレに限らず、衛生装置が設置され、衛生装置の利用を促すことが必要な施設においては同様の課題がある。
本発明は、こうした実情に鑑みてなされたものであり、その目的は、衛生装置の利用を促すことのできる衛生管理システムを提供することにある。
【課題を解決するための手段】
【０００７】
上記課題を解決する衛生管理システムは、所定範囲に存在する人の情報を取得する人情報取得部と、衛生装置の起動情報を取得する起動情報取得部と、前記人情報取得部が取得した前記人の情報と前記起動情報取得部が取得した前記起動情報とに基づいて前記所定範囲に存在する人が前記衛生装置を使用していないと判断したときに注意喚起動作を行う注意喚起部とを備える。
【０００８】
上記構成によれば、所定範囲に存在する人の情報と衛生装置の起動情報とから人が衛生装置を使用しているか否かを判断して、注意喚起動作を行うことで、衛生装置の使用を促すことができる。
【０００９】
上記衛生管理システムについて、前記注意喚起部は、前記衛生装置の起動回数が前記人の数未満であるときに前記所定範囲に存在する人が前記衛生装置を使用していないと判断することが好ましい。
【００１０】
上記構成によれば、衛生装置の起動回数が人の数よりも少ないということは、衛生装置を使用していない人が含まれている。そこで、衛生装置の起動回数が人の数未満であるときに注意喚起動作を行うことで、衛生装置の使用を促すことができる。
【００１１】
上記衛生管理システムについて、前記所定範囲の人の数を検知して前記人情報取得部に出力するエリア検知部を備えることが好ましい。
上記構成によれば、所定範囲の人の数を検知することで、衛生装置の使用の有無を更に正確に把握することができる。
【００１２】
上記衛生管理システムについて、前記注意喚起部は、前記注意喚起動作として前記衛生装置が設置された部屋の出口に設けられる扉を閉状態に維持することが好ましい。
上記構成によれば、衛生装置が設置された部屋の出口の扉を閉状態に維持することで利用者が出られなくなるため、利用者に注意喚起することができる。
【００１３】
上記衛生管理システムについて、前記注意喚起部は、前記注意喚起動作として前記扉を閉状態に維持した後、前記衛生装置の起動が検知されて前記所定範囲に存在する人が前記衛生装置を使用していると判断したときに前記扉を開くことが好ましい。
【００１４】
上記構成によれば、注意喚起動作の後に、利用者が衛生装置を起動することで、所定範囲に存在する人が衛生装置を使用していると判断すると、扉が開かれて、利用者が部屋の出口を通行することができるようになる。
【００１５】
上記衛生管理システムについて、前記衛生装置を使用していないと判断したことを記録する記録部を備えることが好ましい。
上記構成によれば、衛生装置を使用していないことを記録部が記録するため、記録を利用することで、利用者に注意喚起することができる。
【００１６】
上記衛生管理システムについて、前記衛生装置の使用エリアの人の数を検知して、前記人情報取得部に出力する使用エリア検知部と、前記使用エリアとは異なるエリアであって前記衛生装置が設置された部屋の出口に設けられる扉の近傍の通過エリアの人の数を検知して前記人情報取得部に出力する通過エリア検知部とを備え、前記注意喚起部は、前記衛生装置の起動回数が前記使用エリアの人の数未満及び前記通過エリアに人がいることの少なくとも一方を満たすときに前記注意喚起動作を行うことが好ましい。
【００１７】
上記構成によれば、扉の近傍に利用者が通過する空間があるときに、衛生装置を使用している人とは別の人が出口を通過する可能性がある。そこで、扉の近傍の通過エリアの人を検知することで、この扉の近傍の通過エリアに利用者がいるときに注意喚起することができる。
【発明の効果】
【００１８】
本発明によれば、衛生装置の利用を促すことができる。
【図面の簡単な説明】
【００１９】
【図１】衛生管理システムの第１の実施形態が設置された化粧室を示す平面図。
【図２】同実施形態の衛生管理システムの構成を示すブロック図。
【図３】同実施形態の衛生管理システムの動作を示すフローチャート。
【図４】衛生管理システムの第２の実施形態が設置された化粧室を示す平面図。
【図５】同実施形態の衛生管理システムの構成を示すブロック図。
【図６】同実施形態の衛生管理システムの動作を示すフローチャート。
【発明を実施するための形態】
【００２０】
（第１の実施形態）
以下、図１〜図３を参照して、衛生管理システムの第１の実施形態について説明する。衛生管理システムは、化粧室（トイレ）に設置されている。
【００２１】
図１に示すように、化粧室１は、箱形の空間であって、化粧室１内に出入可能な出入口２を１個備えている。化粧室１には、複数（２個）の大便器３と、複数（３個）の小便器４と、複数（２個）の洗面台５と、衛生装置である消毒器１１とが設置されている。化粧室１には、出入口２から見て奥側から大便器３と小便器４とが並び、次に洗面台５が並び、出入口２の近傍に消毒器１１が設置されている。化粧室１の出入口２の開口は、洗面台５が設置された部分よりも狭くなっている。出入口２には、自動ドア２０が設置されている。
【００２２】
自動ドア２０は、扉２１と、扉２１を駆動する駆動部２２と、扉２１の近傍に人がいることを検知する内側センサ２３及び外側センサ２４と、扉２１の開閉を制御する制御装置３０とを備えている。図１の扉２１は、閉状態を示しており、図中左方向に駆動部２２によって駆動されることで出入口２を開放する。内側センサ２３は、化粧室１内における扉２１の近傍の内側エリアＡ１に人がいることを検知する。内側エリアＡ１は、扉２１の手前の開口が狭くなった部分であり、消毒器１１を含む所定範囲である。内側センサ２３は、内側エリアＡ１に存在する人の数を検知可能であり、人の情報として人の数を制御装置３０に出力する。外側センサ２４は、化粧室１外において扉２１の近傍の外側エリアＡ２に人が存在することを検知して、制御装置３０に検知情報を出力する。
【００２３】
図２に示すように、制御装置３０は、人の情報を取得する人情報取得部３１と、扉２１の開閉を判断する判断部３２と、判断部３２の判断結果に従って扉２１を開閉させる開閉部３３とを備えている。人情報取得部３１は、内側センサ２３から内側エリアＡ１に存在する人の情報を取得する。判断部３２は、人情報取得部３１等が取得した情報に基づいて扉２１の開閉を判断する。開閉部３３は、扉２１を開くときには開指令を駆動部２２に出力し、扉２１を閉じるときには閉指令を駆動部２２に出力する。
【００２４】
消毒器１１は、手がかざされると消毒液を噴霧するものであり、手がかざされたことを検知する起動検知部１１Ａを備えている。起動検知部１１Ａは、手がかざされたことを検知すると、消毒液を噴霧させる。よって、起動検知部１１Ａによる手の検知が消毒器１１の起動に相当する。起動検知部１１Ａは、手がかざされたことを検知すると、消毒器１１の起動情報を制御装置３０に出力する。
【００２５】
制御装置３０は、起動検知部１１Ａから出力された起動情報を取得する起動情報取得部３４を備えている。起動情報取得部３４は、起動検知部１１Ａから出力された起動情報を取得した回数を起動回数とする。なお、この回数は、例えば開閉部３３が開指令を出力すると内側エリアＡ１に存在した人が自動ドア２０を通過して化粧室１から出ていくので、開閉部３３が開指令を出力した時点から取得した起動情報の回数とする。
【００２６】
衛生管理システム１０は、この自動ドア２０を利用して消毒器１１の使用を促す注意喚起動作を行う。衛生管理システム１０は、自動ドア２０と、起動検知部１１Ａと、報知部１２とを備えている。報知部１２は、音声を発するスピーカである。なお、自動ドア２０と報知部１２とが衛生管理システム１０の注意喚起部として機能する。
【００２７】
制御装置３０は、内側エリアＡ１に存在する人が消毒器１１を使用していないと判断したときに、注意喚起動作として、自動ドア２０を閉じたままとし、報知部１２から消毒器１１の使用を促す。まず、判断部３２は、内側エリアＡ１に人が存在するか否かを、人情報取得部３１が内側センサ２３から取得した人の情報によって判断する。そして、判断部３２は、内側エリアＡ１に人が存在すると判断したときには、人が消毒器１１を使用しているか否かを判断する。すなわち、判断部３２は、起動情報取得部３４が取得した消毒器１１の起動回数が、人情報取得部３１が取得した人の数以上であるときに人が消毒器１１を使用していると判断する。内側エリアＡ１に存在する人それぞれが消毒器１１に手をかざした場合には、消毒器１１の起動回数と人の数とが一致するので、消毒器１１の起動回数が人の数以上であれば、人が消毒器１１を使用したと判断することができる。
【００２８】
そして、制御装置３０は、消毒器１１の起動回数が内側エリアＡ１に存在する人の数以上であると、内側エリアＡ１に存在する人が消毒器１１を使用していると判断部３２が判断し、注意喚起動作を行わず、開閉部３３が駆動部２２を開駆動させて、扉２１を開く。
【００２９】
一方、制御装置３０は、消毒器１１の起動回数が内側エリアＡ１に存在する人の数未満であると、内側エリアＡ１に存在する人が消毒器１１を使用していないと判断部３２が判断し、開閉部３３が扉２１を閉状態のままとし、報知部１２から消毒器１１を使用するように促す音声、「手の消毒を行ってください」等を発する。
【００３０】
制御装置３０は、外側エリアＡ２に人が存在して、内側エリアＡ１に人が存在しないときは、扉２１を開く。すなわち、判断部３２は、外側エリアＡ２に人が存在するか否かを判断し、外側エリアＡ２に人が存在するときには、内側エリアＡ１に人が存在するか否かを判断する。そして、外側エリアＡ２に人が存在して、内側エリアＡ１に人が存在しないと判断部３２が判断したときには、開閉部３３が駆動部２２を開駆動させて、扉２１を開く。また、外側エリアＡ２に人が存在して、内側エリアＡ１に人が存在すると判断部３２が判断したときには、内側エリアＡ１に存在する人が消毒器１１を使用していると判断部３２が判断するまで扉２１を閉状態のままとする。
【００３１】
一方、制御装置３０は、外側エリアＡ２に人が存在しても、内側エリアＡ１にも人が存在するときには、内側エリアＡ１に存在する人が消毒器１１を使用していると判断するまで扉２１を開かない。すなわち、制御装置３０は、外側エリアＡ２に人が存在して、内側エリアＡ１に人が存在すると判断部３２が判断したときには、開閉部３３は扉２１を閉状態のままとする。そして、制御装置３０は、内側エリアＡ１に存在する人が消毒器１１を使用していると判断部３２が判断したら、開閉部３３が駆動部２２を開駆動させて、扉２１を開く。
【００３２】
次に、図３を併せ参照して、衛生管理システム１０の動作について説明する。自動ドア２０の扉２１は、閉状態であるとする。
まず、制御装置３０は、人情報を取得しているか否かを判断する（ステップＳ１１）。すなわち、判断部３２は、人情報取得部３１が内側センサ２３から人情報を取得しているか否かを判断する。ここで、判断部３２は、人情報の取得有無のみを判断している。判断部３２は、人情報取得部３１が内側センサ２３から人情報を取得していないと判断した場合には（ステップＳ１１：ＮＯ）、人情報を取得するまで待機する。
【００３３】
一方、判断部３２は、人情報取得部３１が内側センサ２３から人情報を取得していると判断した場合には（ステップＳ１１：ＹＥＳ）、ステップＳ１２に移行する。
続いて、制御装置３０は、人数を取得する（ステップＳ１２）。すなわち、判断部３２は、人情報取得部３１が内側センサ２３から取得した人情報に含まれる、内側エリアＡ１に存在する人の数を取得する。
【００３４】
続いて、制御装置３０は、起動情報を取得しているか否かを判断する（ステップＳ１３）。すなわち、判断部３２は、起動情報取得部３４が起動検知部１１Ａから起動情報を取得しているか否かを判断する。ここで、判断部３２は、起動情報の取得有無のみを判断している。起動情報取得部３４が起動検知部１１Ａから起動情報を取得していないと、判断部３２が判断した場合には（ステップＳ１３：ＮＯ）、ステップＳ１７に移行する。
【００３５】
続いて、制御装置３０は、消毒器１１の使用を促す注意喚起を行う（ステップＳ１７）。すなわち、開閉部３３が自動ドア２０の扉２１を閉状態とし、報知部１２から消毒を行うよう「手の消毒を行ってください」等の音声を発する。
【００３６】
一方、起動情報取得部３４が起動検知部１１Ａから起動情報を取得していると、判断部３２が判断した場合には（ステップＳ１３：ＮＯ）、ステップＳ１４に移行する。
続いて、制御装置３０は、起動回数を取得する（ステップＳ１４）。すなわち、判断部３２は、起動情報取得部３４が起動検知部１１Ａから取得した起動情報に含まれる、消毒器１１の起動回数を取得する。
【００３７】
制御装置３０は、起動回数が人数以上であるか否かを判断する（ステップＳ１５）。すなわち、判断部３２は、消毒器１１の起動回数が内側エリアＡ１に存在する人の数以上であるか否かを判断する。そして、判断部３２は、消毒器１１の起動回数が内側エリアＡ１に存在する人の数以上であると判断した場合には（ステップＳ１５：ＹＥＳ）、ステップＳ１６に移行する。
【００３８】
続いて、制御装置３０は、扉２１を開駆動する（ステップＳ１６）。すなわち、開閉部３３は、駆動部２２に開指令を出力し、駆動部２２に扉２１を開駆動させる。よって、出入口２が開くので、化粧室１の利用者は出入口２から出ることができる。
【００３９】
一方、判断部３２は、消毒器１１の起動回数が内側エリアＡ１に存在する人の数未満であると判断した場合には（ステップＳ１５：ＮＯ）、消毒器１１の使用を促す注意喚起を行う（ステップＳ１７）。
【００４０】
ステップＳ１７において自動ドア２０が閉状態であるため、化粧室１を利用した人が化粧室１から出られていない。このような場合には、内側エリアＡ１で人を検知して（ステップＳ１１）、ステップＳ１２以降の処理を進めることとなる。すなわち、制御装置３０は、自動ドア２０を閉状態に維持した後、消毒器１１の起動回数が取得されて（ステップＳ１４）、消毒器１１の起動回数が人の数以上となる（ステップＳ１５：ＹＥＳ）と、自動ドア２０を開く（ステップＳ１６）。
【００４１】
このように、化粧室１を利用した人は、消毒器１１にて消毒を行うと化粧室１から出られる、言い換えれば消毒器１１にて消毒を行わないと化粧室１から出られないため、消毒器１１の使用を促すことができる。特に、内側エリアＡ１に存在する人数と消毒器１１の起動回数とを比較することで、化粧室１の利用者が消毒器１１を使用しているか否かを判断するため、利用者に連なって他の利用者が退出する、いわゆる共連れを抑制することができる。このように、化粧室１での消毒を強制することで、化粧室１における細菌やウィルス等の感染を低減することができる。
【００４２】
次に、本実施形態の効果について説明する。
（１）人の情報と消毒器１１の起動情報とから人が消毒器１１を使用しているか否かを判断して、注意喚起動作を行うことで、消毒器１１の使用を促すことができる。
【００４３】
（２）消毒器１１の起動回数が人の数よりも少ないということは、消毒器１１を使用していない人が含まれている。そこで、消毒器１１の起動回数が人の数未満であるときに注意喚起動作を行うことで、消毒器１１の使用を促すことができる。
【００４４】
（３）内側エリアＡ１の人の数を取得することで、消毒器１１の使用の有無を更に正確に把握することができる。
（４）消毒器１１が設置された化粧室１の出入口２の自動ドア２０を閉状態に維持することで利用者が出られなくなるため、利用者に注意喚起することができる。
【００４５】
（５）注意喚起動作の後に、利用者が消毒器１１を起動することで、消毒器１１の起動回数が人の数以上であれば、自動ドア２０を開いて、利用者が化粧室１の出入口２を通行することができるようになる。
【００４６】
（第２の実施形態）
以下、図４〜図６を参照して、衛生管理システムの第２の実施形態について説明する。この実施形態の衛生管理システムは、衛生装置の使用エリアと扉の近傍の通過エリアとを備える点が上記第１の実施形態と異なっている。以下、第１の実施形態との相違点を中心に説明する。
【００４７】
図４及び図５に示すように、自動ドア２０は、内側センサ２３に代えて、扉２１の近傍に人がいることを検知する第１センサ２５及び第２センサ２６を備えている。第１センサ２５は、化粧室１内における消毒器１１を含み、扉２１の近傍の使用エリアＡ１１に人がいることを検知する。使用エリアＡ１１は、消毒器１１を含む所定範囲であって、消毒器１１を使用するときに利用者が位置するエリアである。また、第２センサ２６は、使用エリアＡ１１とは異なるエリアである扉２１の近傍の通過エリアＡ１２に人がいることを検知する。通過エリアＡ１２は、消毒器１１から離れたエリアである。通過エリアＡ１２は、消毒器１１で消毒をせずに通過しようとする人が位置するエリアである。すなわち、使用エリアＡ１１と通過エリアＡ１２とは、第１の実施形態の内側エリアＡ１を消毒器１１に近い側と消毒器１１から遠い側とに分けたエリアに相当する。第１センサ２５は、使用エリアＡ１１に存在する人の数を検知可能であり、人の情報として人の数を制御装置３０に出力する。第２センサ２６は、通過エリアＡ１２に存在する人の数を検知可能であり、人の情報として人の数を制御装置３０に出力する。
【００４８】
人情報取得部３１は、第１センサ２５から使用エリアＡ１１に存在する人の情報を取得する。人情報取得部３１は、第２センサ２６から通過エリアＡ１２に存在する人の情報を取得する。判断部３２は、人情報取得部３１等が取得した情報に基づいて扉２１の開閉を判断する。
【００４９】
制御装置３０は、消毒器１１の起動回数が、使用エリアＡ１１の人の数未満、及び通過エリアＡ１２に人がいることの少なくとも一方を満たすときに、内側エリアＡ１に存在する人が消毒器１１を使用していないと判断して注意喚起動作を行う。制御装置３０は、注意喚起動作として、自動ドア２０を閉じたままとし、報知部１２から消毒器１１の使用を促す。
【００５０】
まず、判断部３２は、使用エリアＡ１１に人が存在するか否かを、人情報取得部３１が第１センサ２５から取得した人の情報によって判断する。そして、判断部３２は、使用エリアＡ１１に人が存在すると判断したときには、人が消毒器１１を使用しているか否かを判断する。すなわち、判断部３２は、起動情報取得部３４が取得した消毒器１１の起動回数が、人情報取得部３１が取得した使用エリアＡ１１の人の数以上であるときに人が消毒器１１を使用していると判断する。
【００５１】
そして、制御装置３０は、消毒器１１の起動回数が使用エリアＡ１１に存在する人の数未満であると、使用エリアＡ１１に存在する人が消毒器１１を使用していないと判断部３２が判断し、開閉部３３が扉２１を閉状態のままとし、報知部１２から消毒器１１を使用するように促す音声、「手の消毒を行ってください」等を発する。
【００５２】
一方、判断部３２は、消毒器１１の起動回数が使用エリアＡ１１に存在する人の数以上であると、使用エリアＡ１１に存在する人が消毒器１１を使用していると判断すると、通過エリアＡ１２に人が存在するか否かを、人情報取得部３１が第２センサ２６から取得した人の情報によって判断する。そして、制御装置３０は、通過エリアＡ１２に人が存在すると判断部３２が判断したときには、開閉部３３が扉２１を閉状態のままとする。
【００５３】
一方、制御装置３０は、使用エリアＡ１１に存在する人が消毒器１１を使用していると判断するとともに、通過エリアＡ１２に人が存在しないと判断部３２が判断したときには、注意喚起動作を行わず、開閉部３３が駆動部２２を開駆動させて、扉２１を開く。
【００５４】
制御装置３０は、外側エリアＡ２に人が存在して、使用エリアＡ１１及び通過エリアＡ１２に人が存在しないときは、扉２１を開く。すなわち、判断部３２は、外側エリアＡ２に人が存在するか否かを判断し、外側エリアＡ２に人が存在するときには、使用エリアＡ１１及び通過エリアＡ１２に人が存在するか否かを判断する。そして、外側エリアＡ２に人が存在して、使用エリアＡ１１及び通過エリアＡ１２に人が存在しないと判断部３２が判断したときには、開閉部３３が駆動部２２を開駆動させて、扉２１を開く。
【００５５】
一方、制御装置３０は、外側エリアＡ２に人が存在しても、使用エリアＡ１１及び通過エリアＡ１２にも人が存在するときには、使用エリアＡ１１に存在する人が消毒器１１を使用していると判断するとともに、通過エリアＡ１２に人が存在しなくなるまで扉２１を開かない。すなわち、制御装置３０は、外側エリアＡ２に人が存在して、使用エリアＡ１１及び通過エリアＡ１２に人が存在すると判断部３２が判断したときには、開閉部３３は扉２１を閉状態のままとする。そして、制御装置３０は、使用エリアＡ１１に存在する人が消毒器１１を使用しているとともに、通過エリアＡ１２に人が存在しないと判断部３２が判断したら、開閉部３３が駆動部２２を開駆動させて、扉２１を開く。
【００５６】
次に、図６を併せ参照して、衛生管理システム１０の動作について説明する。自動ドア２０の扉２１は、閉状態であるとする。
まず、制御装置３０は、使用エリアの人情報を取得しているか否かを判断する（ステップＳ２１）。すなわち、判断部３２は、人情報取得部３１が第１センサ２５から人情報を取得しているか否かを判断する。ここで、判断部３２は、第１センサ２５の人情報の取得有無のみを判断している。そして、判断部３２は、人情報取得部３１が第１センサ２５から人情報を取得していないと判断した場合には（ステップＳ２１：ＮＯ）、人情報を取得するまで待機する。
【００５７】
一方、判断部３２は、人情報取得部３１が第１センサ２５から人情報を取得していると判断した場合には（ステップＳ２１：ＹＥＳ）、ステップＳ２２に移行する。
続いて、制御装置３０は、使用エリアＡ１１の人数を取得する（ステップＳ２２）。すなわち、判断部３２は、人情報取得部３１が第１センサ２５から取得した人情報に含まれる、使用エリアＡ１１に存在する人の数を取得する。
【００５８】
続いて、制御装置３０は、起動情報を取得しているか否かを判断する（ステップＳ１３）。すなわち、判断部３２は、起動情報取得部３４が起動検知部１１Ａから起動情報を取得しているか否かを判断する。ここで、判断部３２は、起動情報の取得有無のみを判断している。起動情報取得部３４が起動検知部１１Ａから起動情報を取得していないと、判断部３２が判断した場合には（ステップＳ１３：ＮＯ）、ステップＳ１７に移行する。
【００５９】
続いて、制御装置３０は、消毒器１１の使用を促す注意喚起を行う（ステップＳ１７）。すなわち、開閉部３３が自動ドア２０の扉２１を閉状態とし、報知部１２から消毒を行うよう「手の消毒を行ってください」等の音声を発する。
【００６０】
一方、起動情報取得部３４が起動検知部１１Ａから起動情報を取得していると、判断部３２が判断した場合には（ステップＳ１３：ＹＥＳ）、ステップＳ１４に移行する。
続いて、制御装置３０は、起動回数を取得する（ステップＳ１４）。すなわち、判断部３２は、起動情報取得部３４が起動検知部１１Ａから取得した起動情報に含まれる、消毒器１１の起動回数を取得する。
【００６１】
制御装置３０は、起動回数が人数以上であるか否かを判断する（ステップＳ１５）。すなわち、判断部３２は、消毒器１１の起動回数が使用エリアＡ１１に存在する人の数以上であるか否かを判断する。そして、判断部３２は、消毒器１１の起動回数が内側エリアＡ１に存在する人の数未満であると判断した場合には（ステップＳ１５：ＮＯ）、消毒器１１の使用を促す注意喚起を行う（ステップＳ１７）。
【００６２】
一方、判断部３２は、消毒器１１の起動回数が使用エリアＡ１１に存在する人の数以上であると判断した場合には（ステップＳ１５：ＹＥＳ）、ステップＳ２３に移行する。
制御装置３０は、通過エリアＡ１２の人情報を取得しているか否かを判断する（ステップＳ２３）。すなわち、判断部３２は、人情報取得部３１が第２センサ２６から人情報を取得しているか否かを判断する。ここで、判断部３２は、第２センサ２６の人情報の取得有無のみを判断している。そして、制御装置３０は、人情報取得部３１が第２センサ２６から人情報を取得していないと判断部３２が判断した場合には（ステップＳ２３：ＮＯ）、ステップＳ１６に移行する。
【００６３】
続いて、制御装置３０は、扉２１を開駆動する（ステップＳ１６）。すなわち、開閉部３３は、駆動部２２に開指令を出力し、駆動部２２に扉２１を開駆動させる。よって、出入口２が開くので、化粧室１の利用者は出入口２から出ることができる。
【００６４】
一方、制御装置３０は、人情報取得部３１が第２センサ２６から人情報を取得していると判断した場合には（ステップＳ２３：ＹＥＳ）、消毒器１１の使用を促す注意喚起を行う（ステップＳ１７）。
【００６５】
ステップＳ１７において自動ドア２０が閉状態であるため、化粧室１を利用した人が化粧室１から出られていない。このような場合には、使用エリアＡ１１で人を検知して（ステップＳ１１）、ステップＳ１２以降の処理を進めることとなる。すなわち、制御装置３０は、自動ドア２０を閉状態に維持した後、消毒器１１の起動回数が取得されて（ステップＳ１４）、消毒器１１の起動回数が人の数以上となる（ステップＳ１５：ＹＥＳ）と、自動ドア２０を開く（ステップＳ１６）。
【００６６】
このように、化粧室１を利用した人は、消毒器１１にて消毒を行うと化粧室１から出られる、言い換えれば消毒器１１にて消毒を行わないと化粧室１から出られないため、消毒器１１の使用を促すことができる。特に、使用エリアＡ１１に存在する人数と消毒器１１の起動回数とを比較し、通過エリアＡ１２に人がいないことで、化粧室１の利用者が消毒器１１を使用しているか否かを判断するため、利用者に連なって他の利用者が退出する、いわゆる共連れを抑制することができる。このように、化粧室１での消毒を強制することで、化粧室１における細菌やウィルス等の感染を低減することができる。
【００６７】
次に、本実施形態の効果について説明する。なお、第１の実施形態の（１）、（２）、（４）、（５）の効果に加え、以下の効果を奏する。
（３）使用エリアＡ１１の人の数を取得することで、消毒器１１の使用の有無を更に正確に把握することができる。
【００６８】
（６）扉２１の近傍に利用者が通過する通過エリアＡ１２があるときに、消毒器１１を使用している人とは別の人が扉２１を通過する可能性がある。そこで、扉２１の近傍の通過エリアＡ１２の人を検知して、この扉２１の近傍の通過エリアＡ１２に利用者がいるときに注意喚起することができる。
【００６９】
（他の実施形態）
上記各実施形態は、以下のように変更して実施することができる。上記各実施形態及び以下の変更例は、技術的に矛盾しない範囲で互いに組み合わせて実施することができる。
【００７０】
・上記各実施形態では、外側エリアＡ２に人が存在して、内側エリアＡ１（使用エリアＡ１１及び通過エリアＡ１２）に人が存在するときには、内側エリアＡ１（使用エリアＡ１１）に存在する人が消毒器１１を使用するまで扉２１を閉状態のままとした。しかしながら、外側エリアＡ２に人が存在するときには、通常の自動ドア２０として扉２１を開いてもよい。
【００７１】
・上記各実施形態において、報知部１２が消毒器１１の使用を促す音声を発するスピーカとしたが、消毒器１１の使用を促す表示を行うディスプレイ等を報知部１２としてもよい。報知部１２は、スピーカ及びディスプレイのいずれか一方のみでもよい。
【００７２】
・上記各実施形態において、消毒器１１を使用していないと判断したことを記録する記録部を備えてもよい。記録部が消毒器１１を使用していない人を特定できるときには、消毒器１１を使用していない人の情報も併せて記録してもよい。このようにすれば、記録部に記録した情報に基づいて利用者に消毒を行うよう注意するなどして、利用者に注意喚起を行うことができる。また、記録していることで、心理的に消毒を行うよう誘導することができる。
【００７３】
・上記各実施形態において、消毒器１１を使用していないと判断したことを記録部に記録するときには、自動ドア２０を閉状態とままとする注意喚起や、報知部１２による消毒器１１の使用を促す音声を発する注意喚起と組み合わせてもよい。また、記録部による記録のみを注意喚起としてもよい。
【００７４】
・上記各実施形態では、内側エリアＡ１や使用エリアＡ１１等の所定範囲に存在する人を内側センサ２３や第１センサ２５により人そのものを検知した。しかしながら、化粧室１の利用者に無線通信可能なＲＦＩＤ等のＩＤ情報を持たせて、ＩＤ情報によって所定範囲に存在する人の情報を取得してもよい。また、顔認証によって所定範囲に存在する人の情報を取得してもよい。このようにすれば、消毒を行わない人を特定することが可能である。
【００７５】
・上記各実施形態では、消毒器１１を含む所定範囲を内側エリアＡ１や使用エリアＡ１１とした。しかしながら、化粧室１の全体を所定範囲として、所定範囲に存在する人の数と消毒器１１の起動回数とを比較してもよい。
【００７６】
・上記各実施形態では、内側エリアＡ１や使用エリアＡ１１等の所定範囲に存在する人の数と消毒器１１の起動回数とを比較した。しかしながら、所定範囲に人が存在する人情報がありながら、消毒器１１が起動した起動情報がないときには、消毒器１１にて手の消毒が行われていないと判断してもよい。また、所定範囲に人が存在する人情報と、消毒器１１が起動した起動情報とがあるときには、消毒器１１にて手の消毒が行われたと判断してもよい。
【００７７】
・上記各実施形態では、起動検知部１１Ａの検知を起動情報とした。しかしながら、消毒器１１が実際に起動して洗浄液を噴霧したことを起動情報としてもよい。
・また、化粧室１の利用者が消毒器１１に対して手をかざす等の動作を監視して、消毒が行われたときに起動情報を制御装置３０に出力してもよい。
【００７８】
・上記各実施形態では、衛生装置としての消毒器１１を化粧室１に設置した。しかしながら、化粧室１に限らず、消毒器１１をクリーンルームや工場等に設置して、この消毒器１１を使用しているか否かを判断して注意喚起を行ってもよい。
【００７９】
・上記各実施形態では、消毒器１１を衛生装置とした。しかしながら、手を洗浄する洗浄器や手を乾燥させる乾燥器等の他の衛生装置であってもよい。
【符号の説明】
【００８０】
１…化粧室、２…出入口、３…大便器、４…小便器、５…洗面台、１０…衛生管理システム、１１…衛生装置としての消毒器、１１Ａ…起動検知部、１２…注意喚起部としての報知部、２０…注意喚起部としての自動ドア、２１…扉、２２…駆動部、２３…エリア検知部としての内側センサ、２４…外側センサ、２５…エリア検知部及び使用エリア検知部としての第１センサ、２６…通過エリア検知部としての第２センサ、３０…制御装置、３１…人情報取得部、３２…判断部、３３…開閉部、３４…起動情報取得部、Ａ１…所定範囲としての内側エリア、Ａ２…外側エリア、Ａ１１…所定範囲としての使用エリア、Ａ１２…通過エリア。
【図１】
2020080999.tif 000003
【図２】
2020080999.tif 000004
【図３】
2020080999.tif 000005
【図４】
2020080999.tif 000006
【図５】
2020080999.tif 000007
【図６】
2020080999.tif 000008